(57)【要約】  電気化学測定システム（１）は、複数種類の母液が異なる割合で混合された複数種類の溶液がそれぞれ収容されて配列される複数個のリアクタを有するマイクロプレート（２）に対して移動可能に設けられた挿入機構（４）と、複数個のリアクタに収容された複数種類の溶液に挿入可能に挿入機構（４）に取り付けられた微小電極ユニット（１９）とを備える。
2019189252.tif 000002
【特許請求の範囲】
【請求項１】
複数種類の溶液がそれぞれ収容されて配列される複数個のリアクタに対して移動可能に設けられた挿入機構と、
前記複数個のリアクタに収容された複数種類の溶液に挿入可能に前記挿入機構に取り付けられて電気化学測定装置に接続される電極部材とを備えることを特徴とする電気化学測定システム。
【請求項２】
前記溶液が、イオン性物質を溶媒に溶解させた電解液、及び、金属を酸化又は還元により対象物の表面に析出させるためのめっき液の少なくとも一方を含む請求項１に記載の電気化学測定システム。
【請求項３】
前記溶液の電気的特性を測定するための一対の電極をさらに備え、
前記一対の電極が前記電極部材に取り付けられているか、又は、前記一対の電極が前記リアクタに取り付けられているか、又は、前記一対の電極の一方が前記電極部材に取り付けられ前記一対の電極の他方が前記リアクタに取り付けられている請求項１に記載の電気化学測定システム。
【請求項４】
前記電極部材が、対応するリアクタに向かって突出する一対の電極を含む請求項１に記載の電気化学測定システム。
【請求項５】
前記一対の電極が、前記リアクタ側から見たときに、前記一対の電極の間の隙間が中央から両端に進むに従って広くなるように形成された傾斜面をそれぞれ有する請求項４に記載の電気化学測定システム。
【請求項６】
一対の電極と前記一対の電極の間に配置されたセパレータとが前記リアクタの内部に設けられ、
前記電極部材が、前記一対の電極のうちの一方に結合可能な第１プローブを含み、
前記電気化学測定装置に接続されて前記一対の電極のうちの他方に結合可能な第２プローブをさらに備える請求項１に記載の電気化学測定システム。
【請求項７】
前記一対の電極のうちの一方が前記リアクタの底に取り付けられ、
前記セパレータが前記一対の電極のうちの一方の上に配置され、
前記一対の電極のうちの他方が前記セパレータの上に配置され、
前記第１プローブが、前記一対の電極のうちの他方を前記リアクタの底に向かって抑え込むように設けられる請求項６に記載の電気化学測定システム。
【請求項８】
前記複数個のリアクタが、マイクロプレートにマトリックス状に配置された複数個のウェルに形成され、
前記マイクロプレートに配置された複数個のウェルに、前記複数種類の母液が異なる割合で混合された複数種類の溶液を分注する分注機構と、
前記複数種類の溶液が分注されたマイクロプレートを前記挿入機構の下に搬送する搬送機構と、
前記挿入機構の下に搬送されたマイクロプレートに対して移動可能に設けられ、前記第２プローブが前記一対の電極のうちの一方に結合可能に取り付けられた移動機構とをさらに備える請求項６に記載の電気化学測定システム。
【請求項９】
前記複数個のリアクタが、マイクロプレートにマトリックス状に配置された複数個のウェルに形成され、
前記複数種類の溶液が複数種類の電解液を含む請求項１に記載の電気化学測定システム。
【請求項１０】
マイクロプレートにマトリックス状に配置された複数個のリアクタに、複数種類の母液が異なる割合で混合された複数種類の溶液を、分注動作に係る情報に基づいて分注する分注工程と、
前記複数個のリアクタのそれぞれに同時に一対の電極を挿入するために、前記一対の電極が取り付けられた電極部材を前記複数個のリアクタに向かって移動させ、前記複数個のリアクタのそれぞれの複数種類の溶液の電気特性を同時に測定する同時測定工程と、
前記分注動作に係る情報に基づいて、前記同時測定工程で測定された前記複数種類の溶液の電気特性に係るデータを統計処理して、複数種類の溶液の中から所定の電気特性を有する溶液をハイスループットで探索する探索工程とを包含することを特徴とする電気化学探索方法。
【請求項１１】
溶液を収容するリアクタであって、
前記溶液の特性を測定するために前記溶液の中に配置されるように設けられた正極と、
前記正極に対向して前記溶液の中に配置されるように設けられた負極とを備えることを特徴とするリアクタ。
【請求項１２】
マトリックス状に配置された複数個のウェルに、請求項１１に記載のリアクタがそれぞれ形成されたマイクロプレートであって、
各リアクタが、
前記正極と前記負極との間に配置されたセパレータをさらに備え、
各リアクタは、複数種類の溶液がそれぞれ収容されて配列され、
各リアクタに収容された複数種類の溶液に挿入可能な複数個の電極部材が取り付けられた挿入機構が各リアクタに対して移動することを特徴とするマイクロプレート。
【発明の詳細な説明】
【技術分野】
【０００１】
本発明は、複数種類の母液が異なる割合で混合された複数種類の溶液を電気化学的に同時に測定する電気化学測定システム、電気化学探索方法、リアクタ、及びマイクロプレートに関する。
【背景技術】
【０００２】
複数種類の母液が異なる割合で混合された複数種類の試料が収容された複数のウェルを有するマイクロプレートを用いたオートメーションシステムがバイオテクノロジーの分野で知られている（特許文献１〜４）。このシステムは、複数種類の試料を光学的に測定する光学測定系が検出系として採用されていることが前提で確立されてきたスクリーニングシステムである。
【先行技術文献】
【特許文献】
【０００３】
【特許文献１】日本国特許第5930961号明細書（2016年5月13日公開）
【特許文献２】米国特許第8222048号明細書（2012年7月17日）
【特許文献３】米国特許第7169362号明細書（2007年1月30日）
【特許文献４】国際公開第2007/038521号パンフレット（2007年4月5日）
【発明の概要】
【発明が解決しようとする課題】
【０００４】
新しい用途の電解液（組成、添加剤）を探索する際には数多くのトライ＆エラーが必要となる。しかしながら、従来の電解液探索は経験に頼っていて、その経験に基づく暗黙知のアルゴリズム化が要望されている。【０００５】
このアルゴリズム化へ向けては、アルゴリズム化のベースとなる大きなデータ群が必要となる。しかしながら、そのような大きなデータ群を取得するためのハイスループットな電気化学測定システムは従来存在しなかった。【０００６】
前述した特許文献１〜４に記載のシステムは、複数種類の試料を光学的に測定する光学測定系が検出系として採用されていることが前提であるため、電解液の電気特性を測定することはできないという問題を抱えている。【０００７】
本発明の一態様は、電解液の電気特性をハイスループットで測定することができる電気化学測定システム、電気化学探索方法、リアクタ、及びマイクロプレートを実現することを目的とする。
【課題を解決するための手段】
【０００８】
上記の課題を解決するために、本発明の一態様に係る電気化学測定システムは、複数種類の溶液がそれぞれ収容されて配列される複数個のリアクタに対して移動可能に設けられた挿入機構と、前記複数個のリアクタに収容された複数種類の溶液に挿入可能に前記挿入機構に取り付けられて電気化学測定装置に接続される電極部材とを備えることを特徴とする。【０００９】
上記の課題を解決するために、本発明の一態様に係る電気化学探索方法は、マイクロプレートにマトリックス状に配置された複数個のリアクタに、複数種類の母液が異なる割合で混合された複数種類の溶液を、分注動作に係る情報に基づいて分注する分注工程と、前記複数個のリアクタのそれぞれに同時に一対の電極を挿入するために、前記一対の電極が取り付けられた電極部材を前記複数個のリアクタに向かって移動させ、前記複数個のリアクタのそれぞれの複数種類の溶液の電気特性を同時に測定する同時測定工程と、前記分注動作に係る情報に基づいて、前記同時測定工程で測定された前記複数種類の溶液の電気特性に係るデータを統計処理して、複数種類の溶液の中から所定の電気特性を有する溶液をハイスループットで探索する探索工程とを包含することを特徴とする。【００１０】
上記の課題を解決するために、本発明の一態様に係るリアクタは、溶液を収容するリアクタであって、前記溶液の特性を測定するために前記溶液の中に配置されるように設けられた正極と、前記正極に対向して前記溶液の中に配置されるように設けられた負極とを備えることを特徴とする。【００１１】
上記の課題を解決するために、本発明の一態様に係るマイクロプレートは、マトリックス状に配置された複数個のウェルに、本発明の一態様に係るリアクタがそれぞれ形成されたマイクロプレートであって、各リアクタが、前記正極と前記負極との間に配置されたセパレータをさらに備え、各リアクタは、複数種類の溶液がそれぞれ収容されて配列され、各リアクタに収容された複数種類の溶液に挿入可能な複数個の電極部材が取り付けられた挿入機構が各リアクタに対して移動することを特徴とする。
【発明の効果】
【００１２】
本発明の一態様によれば、電解液の電気特性をハイスループットで測定することができる。
【図面の簡単な説明】
【００１３】
【図１】実施形態１に係る電気化学測定システムのブロック図である。
【図２】（ａ）は上記電気化学測定システムに設けられたマイクロプレートの斜視図であり、（ｂ）は上記マイクロプレートの立面図であり、（ｃ）は上記マイクロプレートの平面図であり、（ｄ）は上記マイクロプレートに形成されたウェルの断面図である。
【図３】各ウェルへの電解液化合物ライブラリーの高速合成を示す図である。
【図４】（ａ）は上記電気化学測定システムに設けられた微小電極ユニットの斜視図であり、（ｂ）は上記微小電極ユニットに設けられた正極及び負極が挿入されたマイクロプレートの断面図である。
【図５】上記マイクロプレートに挿入された上記微小電極ユニットの平面図である。
【図６】（ａ）はプローブユニットが接続された上記微小電極ユニットの斜視画像であり、（ｂ）はその立面画像である。
【図７】（ａ）は上記微小電極ユニットに設けられた正極及び負極の正面図であり、（ｂ）は上記正極の側面図である。
【図８】（ａ）は上記正極の断面図であり、（ｂ）は傾斜面が形成された上記正極の断面図であり、（ｃ）は上記微小電極ユニットに設けられた取付梁の断面図であり、（ｄ）は上記取付梁の平面図である。
【図９】（ａ）は実施形態２にマイクロプレートに形成されたウェルの断面図であり、（ｂ）は上記マイクロプレートの斜視画像である。
【図１０】（ａ）は上記電気化学測定システムに設けられた微小電極ユニットの平面図であり、（ｂ）（ｃ）は上記微小電極ユニットの側面図である。
【図１１】実施形態２に係る電気化学測定システムを示す画像である。
【図１２】（ａ）は上記電気化学測定システムにより測定された複数種類の電解液に対応する複数種類の母液の電解液化合物ライブラリーを示す図であり、（ｂ）は上記電気化学測定システムによる測定結果を示す図である。
【図１３】（ａ）〜（ｃ）は上記電気化学測定システムによる測定結果を示すグラフである。
【図１４】（ａ）（ｂ）は実施形態１又は２に係る電気化学測定システムの正極及び負極の態様を示す模式図である。
【図１５】（ａ）（ｂ）は実施形態１又は２に係る電気化学測定システムの正極及び負極の他の態様を示す模式図である。
【図１６】（ａ）（ｂ）（ｃ）は実施形態１又は２に係る電気化学測定システムの正極及び負極のさらに他の態様を示す模式図である。
【発明を実施するための形態】
【００１４】
以下、本発明の実施形態について、詳細に説明する。
【００１５】
本明細書において、「電解液」とは、イオン性物質を溶媒に溶解させて作製され、電気伝導性を有する溶液を意味する。また、「めっき液」とは、金属を酸化又は還元により対象物の表面に析出させるために使用される溶液を意味するものとする。
【００１６】
〔実施形態１〕
（電気化学測定システム１の構成）
図１は実施形態１に係る電気化学測定システム１のブロック図である。電気化学測定システム１は、複数種類の母液が異なる割合で混合された複数種類の電解液（溶液）をマイクロプレート２に分注する分注機構１６と、複数種類の溶液が分注機構１６により分注されたマイクロプレート２を挿入機構４の下に搬送する搬送機構１７と、挿入機構４に取り付けられた微小電極ユニット１９と、微小電極ユニット１９に接続された電気化学測定装置９と、分注機構１６、搬送機構１７、及び電気化学測定装置９を制御する制御部２９とを備える。
【００１７】
図２（ａ）は電気化学測定システム１に設けられたマイクロプレート２の斜視図であり、（ｂ）はマイクロプレート２の立面図であり、（ｃ）はマイクロプレート２の平面図であり、（ｄ）はマイクロプレート２に形成されたウェル３の断面図である。
【００１８】
マイクロプレート２は平板状に形成される。マイクロプレート２の表面に８行１２列のマトリックス状に９６個のウェル３が形成される。マイクロプレート２は、横寸法ａ、縦寸法ｂ、及び高さ寸法ｈ１を有する。各ウェル３は、略円筒状に形成され、表面側の直径Ｄ１、底面側の直径Ｄ２、及び深さｈ２を有する。マイクロプレート２は、電解液との反応性が低い素材（例えば、ポリプロピレン）により構成することが好ましい。
【００１９】
略円筒状に形成されたウェル３を例に挙げて説明したが、本発明はこれに限定されない。例えば、各ウェル３は、略円錐状に形成されてもよい。ウェル３を略円錐状に形成すると、略円筒状に比べて容積を低減することができるので、電気化学測定のための電解液の量が略円筒状に比べて少量で済む。このため、例えば、電解液が高価な場合に少量の電解液で低コストに探索することができる。
【００２０】
図３は各ウェル３への電解液化合物ライブラリーの高速合成を示す図である。電解液化合物ライブラリーは、複数種類の母液から成り、例えば母液７ａ、母液７ｂ、母液７ｃ、及び母液７ｄを含む。この複数種類の母液７ａ、７ｂ、７ｃ、及び７ｄが異なる割合で混合された複数種類の電解液８ａ、８ｂ、８ｃ、８ｄ、及び８ｅがそれぞれマイクロプレート２の複数個のウェル３に分注機構１６により分注される。
【００２１】
例えば、まず、母液７ａが左から２個のウェル３毎に予め定められた液量ずつ分注機構１６により左から２個のウェル３に供給される。そして、母液７ｂが左から４個のウェル３毎に予め定められた液量ずつ分注機構１６により左から４個のウェル３に供給される。次に、母液７ｃが右から３個のウェル３毎に予め定められた液量ずつ右から３個のウェル３に供給される。その後、母液７ｄが右から３個のウェル３毎に予め定められた液量ずつ右から３個のウェル３に供給される。
【００２２】
このようにして、複数種類の母液７ａ、７ｂ、７ｃ、及び７ｄが異なる割合で混合された複数種類の電解液８ａ、８ｂ、８ｃ、８ｄ、及び８ｅがそれぞれマイクロプレート２の複数個のウェル３に分注される。
【００２３】
図４（ａ）は電気化学測定システム１に設けられた微小電極ユニット１９の斜視図であり、（ｂ）は微小電極ユニット１９に設けられた正極５及び負極６が挿入されたマイクロプレート２の断面図である。図５はマイクロプレート２に挿入された微小電極ユニット１９の平面図である。
【００２４】
微小電極ユニット１９は略平板状のベース２０を有する。ベース２０は、所定の間隔を空けて互いに平行に配置された一対の取っ手２１と、１２列のウェル３が配置されるピッチに対応する間隔を空けて一対の取っ手２１に交差する方向に沿って互いに平行に配置された１２本の取付梁２２とを含む。各取付梁２２には、対応する８行のウェル３に向かって突出する８組の正極５及び負極６が、８行のウェル３が配置されるピッチに対応する間隔を空けて８行のウェル３に挿入可能に取り付けられる。
【００２５】
従って、８行×１２列＝９６本の正極５、及び、８行×１２列＝９６本の負極６が微小電極ユニット１９に設けられる。即ち、微小電極ユニット１９は、正極５及び負極６からなる１９２本の微小電極端子を有する。一対の正極５及び負極６は、マイクロプレート２の対応するウェル３に挿入可能に取付梁２２に取り付けられる。
【００２６】
図６（ａ）はプローブユニット２３が接続された微小電極ユニット１９の斜視画像であり、（ｂ）はその立面画像である。
【００２７】
プローブユニット２３は、各正極５及び各負極６にそれぞれ接続される１９２本の配線を含み、微小電極ユニット１９の上側を通って電気化学測定装置９に接続される。
【００２８】
微小電極ユニット１９は、例えば、負極に金属リチウムを使った化学電池であるリチウム電池の電解液を探索するために使用することができる。この場合、各正極５はＮｉ箔を含み、各負極６はＬｉ箔を含む。
【００２９】
図７（ａ）は微小電極ユニット１９に設けられた正極５及び負極６の正面図であり、（ｂ）は正極５の側面図である。図８（ａ）は正極５の断面図であり、（ｂ）は傾斜面１０が形成された正極５の断面図であり、（ｃ）は微小電極ユニット１９に設けられた取付梁２２の断面図であり、（ｄ）は取付梁２２の平面図である。
【００３０】
正極５及び負極６は、互いに面対称の略板状形状を有しており、それぞれ、取付梁２２に取り付けるための取付部２７と、ウェル３に挿入される挿入部２８とを有する。
【００３１】
挿入部２８には、電極活物質を取付けるための溝２４が形成される。
【００３２】
正極５及び負極６は、ウェル３側から見たときに、正極５及び負極６の間の隙間が中央から両端に進むに従って広くなるように形成された傾斜面１０をそれぞれ有する。傾斜面１０を正極５及び負極６に設けることで、正極５及び負極６をウェル３に挿入する際の正極５及び負極６の位置精度の許容範囲を広げることができる。
【００３３】
正極５及び負極６を圧入するための圧入溝３１が取付梁２２に形成され、正極５及び負極６は取付梁２２に圧入により取り付けられる。
【００３４】
マイクロプレート２は複数個設けられる。そして、この複数個のマイクロプレート２に対して、順次、複数種類の溶液が分注機構１６により分注される。この複数個のマイクロプレート２は、順次、挿入機構４の下に搬送機構１７により搬送され、挿入機構４に取り付けられた微小電極ユニット１９、及び、電気化学測定装置９により電気化学測定が実施される。従って、複数個のマイクロプレート２に対して、同一の正極５及び負極６が継続して使用される。
【００３５】
このため、マイクロプレート２のウェル３に正極５及び負極６を出し入れする機構を設ける必要がある。具体的には、正極５及び負極６が取り付けられた微小電極ユニット１９をマイクロプレート２に対して昇降させる挿入機構４を設ける。正極５及び負極６はこの昇降動作に干渉しない構造を有する。即ち、正極５及び負極６は、ウェル３の内壁と干渉しない位置に、ウェル３に収容された電解液の電気化学測定のために適切な間隔を空けて微小電極ユニット１９の取付梁２２に取り付けられる。
【００３６】
電気化学測定装置９は、マイクロプレート２のウェル３への分注機構１６による分注動作と連動して、ウェル３に収容された電解液の電気化学測定を行う。このため、分注機構１６の分注動作を制御する制御部２９（図１）に格納された分注動作に係る情報に基づいて、電気化学測定装置９はウェル３の電解液の電気化学測定を行う。
【００３７】
（電気化学測定システム１の動作）
このように構成された電気化学測定システム１は以下のように動作する。
【００３８】
まず、マイクロプレート２に配置された９６個のウェル３に、複数種類の母液が異なる割合で混合された９６種類の電解液を分注機構１６が分注する。そして、９６種類の電解液が９６個のウェル３に分注されたマイクロプレート２を挿入機構４の下に搬送機構１７が搬送する。次に、９６種類の電解液がそれぞれ収容された９６個のウェル３に向かって、電気化学測定装置９に接続されて微小電極ユニット１９に取り付けられた９６対の正極５及び負極６が下降して電解液に挿入される。その後、９６対の正極５及び負極６に接続された電気化学測定装置９が、９６対の正極５及び負極６がそれぞれ挿入された９６種類の電解液の電気特性を同時に測定する。そして、電気化学測定装置９は、測定した９６種類の電解液の電気特性を、制御部２９に格納された分注動作に係る情報と対応付ける。
【００３９】
〔実施形態２〕
本発明の他の実施形態について、以下に説明する。なお、説明の便宜上、上記実施形態にて説明した部材と同じ機能を有する部材については、同じ符号を付記し、その説明を繰り返さない。
【００４０】
（電気化学測定システム１Ａの構成）
図９（ａ）は実施形態２に係る電気化学測定システム１Ａのマイクロプレート２Ａに形成されたウェル３Ａの断面図であり、（ｂ）はマイクロプレート２Ａの斜視画像である。
【００４１】
マイクロプレート２Ａは８行×１２列に配置された９６個のウェル３Ａを有する。正極１３及び負極１４と、正極１３及び負極１４の間に配置されたセパレータ１５とが各ウェル３Ａの内部に設けられる。負極１４がウェル３Ａの底に取り付けられる。セパレータ１５が負極１４の上に配置される。正極１３がセパレータ１５の上に配置される。正極１３はニッケル箔を含み、負極１４は金属リチウムを含み、セパレータ１５はガラス繊維を含む。セパレータ１５は、正極１３と負極１４との接触を阻止するように構成されていればよく、例えば、セラミックにより構成されていてもよいし、Ｏリングのような部材で構成してもよい。
【００４２】
正極１３に結合可能な第１プローブ１１が微小電極ユニット１９Ａに取り付けられる。第１プローブ１１にナット２６が取り付けられる。
【００４３】
このように、マイクロプレート２Ａのウェル３Ａの内部に電池環境を再現するために、正極１３、負極１４、及びセパレータ１５の電池具材がウェル３Ａの内部に取り付けられている。即ち、リチウム電池のクーロン効率を測定するために、実際のリチウム電池の構成と類似した正極１３、負極１４、及びセパレータ１５の電池具材がウェル３Ａに搭載されたマイクロプレート２Ａを用いる。ウェル３Ａは、電池具材を取付けやすいように平底構造を有することが好ましい。
【００４４】
図１０（ａ）は微小電極ユニット１９Ａの平面図であり、（ｂ）（ｃ）は微小電極ユニット１９Ａの側面図である。微小電極ユニット１９Ａは、板状に形成され、９６個のウェル３Ａに対応する９６個の孔３０が形成される。９６個の第１プローブ１１が９６個の孔３０にそれぞれ圧入される。
【００４５】
ウェル３Ａの底に形成された孔を通って負極１４に結合可能な第２プローブ１２が設けられる。第２プローブ１２にナット２５が取り付けられる。第２プローブ１２は電気化学測定装置９に接続されている。このように、ウェル３Ａ内部に取り付けられた負極１４と電気化学測定装置９とが第２プローブ１２を介して電気化学的に結合される。
【００４６】
図１１は実施形態２に係る電気化学測定システム１Ａを示す画像である。挿入機構４の下に搬送されたマイクロプレート２Ａ（図９（ｂ））に対して上昇可能に設けられ、第２プローブ１２が負極１４に結合可能に取り付けられた上昇機構１８（移動機構）が設けられる。
【００４７】
第１プローブ１１は、正極１３をウェル３Ａの底に向かって抑え込むように設けられる。マイクロプレート２Ａのウェル３Ａ内に設置された電池具材（正極１３、負極１４、及びセパレータ１５）を第１プローブ１１と第２プローブ１２とにより上下から抑え込むことにより、電気化学測定装置９とウェル３Ａ内の電池具材とを電気化学的に接続する。電池具材を第１プローブ１１と第２プローブ１２とにより上下から抑え込む加圧力を、一つの電池具材当たり４００ｇｆ以上に適切に調整することにより、リチウム電池のクーロン効率を再現性良く測定することができる。第１プローブ１１と第２プローブ１２とは、このような加圧条件に耐え得る構造及び条件により作成される。
【００４８】
ウェル３Ａ内の負極１４及びセパレータ１５の上に配置される正極１３は、分注機構１６による分注動作に干渉しない構成を有する。
【００４９】
第１プローブ１１が電気化学的に結合されるウェル３Ａ内の正極１３は、ウェル３Ａ内の電解液と第１プローブ１１との電気化学的接触を回避する構造を有する。
【００５０】
（電気化学測定システム１Ａの動作）
このように構成された電気化学測定システム１Ａは以下のように動作する。
【００５１】
まず、電池具材が設置されたマイクロプレート２Ａの９６個のウェル３Ａに、複数種類の母液が異なる割合で混合された９６種類の電解液を分注機構１６が分注する。そして、９６種類の電解液が９６個のウェル３Ａに分注されたマイクロプレート２Ａを挿入機構４の下に搬送機構１７が搬送する。
【００５２】
次に、第２プローブ１２が取り付けられた上昇機構１８が、９６種類の電解液がそれぞれ収容された９６個のウェル３Ａに向かって上昇する。その後、上昇機構１８に取り付けられた９６本の第２プローブ１２が、各ウェル３Ａの底に形成された孔を通って負極１４に結合する。次に、電気化学測定装置９に接続されて微小電極ユニット１９Ａに取り付けられた９６本の第１プローブ１１が下降して各ウェル３Ａ内の正極１３に結合される。９６本の第１プローブ１１は各正極１３を各ウェル３Ａの底に向かって加圧する。
【００５３】
その後、９６本の第１プローブ１１及び第２プローブ１２に接続された電気化学測定装置９が、９６個のウェル３Ａ内の９６種類の電解液の電気特性を同時に測定する。そして、電気化学測定装置９は、測定した９６種類の電解液の電気特性を、制御部２９に格納された分注動作に係る情報と対応付ける。
【００５４】
（リチウム電池のクーロン効率測定結果）
図１２（ａ）は電気化学測定システム１Ａにより測定された複数種類の電解液に対応する複数種類の母液の電解液化合物ライブラリーを示す図であり、（ｂ）は電気化学測定システム１Ａによる測定結果を示す図である。
【００５５】
ウェル３Ａ内の電解液によりリチウム電池のクーロン効率を測定した。図１２（ａ）に示されるＮｏ．２〜Ｎｏ．１５の１４種類の電解液化合物から５種類の電解液化合物を選択して分注した２００２通りの電解液のすべてを電気化学測定システム１Ａにより検証した。
【００５６】
図１２（ｂ）に示される溶液（１）〜溶液（５）は、１４種類から選択された５種類の電解液化合物の通し番号を示す。溶液（１）〜溶液（５）の各欄に表記された数値は、電解液の濃度を示す。Ｎｏの欄に表記された数字は、電解液化合物ライブラリーの１４種類から５種類を選択して分注した２００２通りの電解液の通し番号を示す。ＣＥ  １ｓｔの欄に表記された数値はリチウム電池のクーロン効率の１回目の測定値であり、ＣＥ  ２ｎｄの欄に表記された数値は２回目の測定値であり、ＣＥ  ３ｒｄの欄に表記された数値は３回目の測定値である。Ａｖｅ．２，３の欄に表記された数値は２回目の測定値と３回目の測定値との平均値である。実際には２００２行のデータが存在し、そのうち上記平均値の大きい順番にランキングした上位１８行のデータが図１２（ｂ）に示されている。
【００５７】
図１３（ａ）〜（ｃ）は電気化学測定システム１Ａによる測定結果を示すグラフである。図１２（ｂ）の２回目の測定値と３回目の測定値との平均値のトップ３の電解液の充放電データが示されている。図１３（ａ）には、図１２（ｂ）のＮｏ１４１９に係る電解液の充放電のグラフが示されており、図１３（ｂ）にはＮｏ１５８８に係る電解液の充放電のグラフが示されており、図１３（ｃ）にはＮｏ１８３９に係る電解液の充放電のグラフが示されている。
【００５８】
このように、本実施形態に係る電気化学測定システム１Ａによれば、リチウム電池のクーロン効率を９６通りの電解液について同時に測定し、２００２通りの電解液の中からＮｏ１４１９、Ｎｏ１５８８、及びＮｏ１８３９の好適な電解液をハイスループットで探索することができた。
【００５９】
なお、リチウム電池のクーロン効率を測定する例を挙げて説明したが、本発明はこれに限定されない。本発明の対象は電気化学測定であればよく、例えば、めっき液の測定にも本発明を適用することができる。
【００６０】
図１４〜図１６は、実施形態１又は２に係る電気化学測定システムの正極５及び負極６の態様を示す模式図である。なお、説明の便宜上、上記実施形態にて説明した部材と同じ機能を有する部材については、同じ符号を付記し、その説明を繰り返さない。
【００６１】
正極５及び負極６は、微小電極ユニット１９（図１、図４）に取り付けることができる。この場合、正極５及び負極６は、微小電極ユニット１９の下降に伴い、図１４（ａ）（ｂ）に示すように、マイクロプレート２（図１）のウェル３に収容された電解液３２に挿入される。
【００６２】
そして、正極５及び負極６は、図１５（ａ）（ｂ）に示すように、ウェル３に取り付けてもよい。この場合、例えば、ウェル３の底に負極６を取付け、電気化学測定装置９（図１）に接続された第２プローブ１２が負極６に接続される。そして、正極５が負極６と対向するように電解液３２内に配置される。第１プローブ１１は、微小電極ユニット１９の下降に伴い、電解液３２内に配置された正極５に接続される。
【００６３】
なお、負極６がウェル３の底に取り付けられている例を示しているが、本発明はこれに限定されない。ウェル３の内壁に互いに対向するように正極５と負極６とを取付けるように構成してもよい。
【００６４】
また、図１６（ａ）（ｂ）に示すように、正極５を微小電極ユニット１９の第１プローブ１１に取り付け、負極６をウェル３の底に取り付けるように構成してもよい。この場合、微小電極ユニット１９の第１プローブ１１に取り付けられた電極５は、微小電極ユニット１９の下降に伴い、電解液３２の中に入って負極６と対向する。
【００６５】
また、図１６（ｃ）に示すように、ウェル３の内壁に負極６を配置するように構成してもよい。
【００６６】
（まとめ）
上記の課題を解決するために、本発明の一態様に係る電気化学測定システムは、複数種類の溶液がそれぞれ収容されて配列される複数個のリアクタに対して移動可能に設けられた挿入機構と、前記複数個のリアクタに収容された複数種類の溶液に挿入可能に前記挿入機構に取り付けられて電気化学測定装置に接続される電極部材とを備えることを特徴とする。
【００６７】
この特徴により、複数種類の母液が異なる割合で混合された複数種類の溶液の電気化学的特性を同時に測定することができる。このため、電解液の電気特性をハイスループットで測定することができる。
【００６８】
本発明の一態様に係る電気化学測定システムでは、前記溶液が、イオン性物質を溶媒に溶解させた電解液、及び、金属を酸化又は還元により対象物の表面に析出させるためのめっき液の少なくとも一方を含むことが好ましい。
【００６９】
本発明の一態様に係る電気化学測定システムでは、前記溶液の電気的特性を測定するための一対の電極をさらに備え、前記一対の電極が前記電極部材に取り付けられているか、又は、前記一対の電極が前記リアクタに取り付けられているか、又は、前記一対の電極の一方が前記電極部材に取り付けられ前記一対の電極の他方が前記リアクタに取り付けられていることが好ましい。
【００７０】
本発明の一態様に係る電気化学測定システムでは、前記電極部材が、対応するリアクタに向かって突出する一対の電極を含むことが好ましい。
【００７１】
本発明の一態様に係る電気化学測定システムでは、前記一対の電極が、前記リアクタ側から見たときに、前記一対の電極の間の隙間が中央から両端に進むに従って広くなるように形成された傾斜面をそれぞれ有することが好ましい。
【００７２】
本発明の一態様に係る電気化学測定システムでは、一対の電極と前記一対の電極の間に配置されたセパレータとが前記リアクタの内部に設けられ、前記電極部材が、前記一対の電極のうちの一方に結合可能な第１プローブを含み、前記電気化学測定装置に接続されて前記一対の電極のうちの他方に結合可能な第２プローブをさらに備えることが好ましい。
【００７３】
本発明の一態様に係る電気化学測定システムでは、前記一対の電極のうちの一方が前記リアクタの底に取り付けられ、前記セパレータが前記一対の電極のうちの一方の上に配置され、前記一対の電極のうちの他方が前記セパレータの上に配置され、前記第１プローブが、前記一対の電極のうちの他方を前記リアクタの底に向かって抑え込むように設けられることが好ましい。
【００７４】
本発明の一態様に係る電気化学測定システムでは、前記複数個のリアクタが、マイクロプレートにマトリックス状に配置された複数個のウェルに形成され、前記マイクロプレートに配置された複数個のウェルに、前記複数種類の母液が異なる割合で混合された複数種類の溶液を分注する分注機構と、前記複数種類の溶液が分注されたマイクロプレートを前記挿入機構の下に搬送する搬送機構と、前記挿入機構の下に搬送されたマイクロプレートに対して移動可能に設けられ、前記第２プローブが前記一対の電極のうちの一方に結合可能に取り付けられた移動機構とをさらに備えることが好ましい。
【００７５】
本発明の一態様に係る電気化学測定システムでは、前記複数個のリアクタが、マイクロプレートにマトリックス状に配置された複数個のウェルに形成され、前記複数種類の溶液が複数種類の電解液を含むことが好ましい。
【００７６】
上記の課題を解決するために、本発明の一態様に係る電気化学探索方法は、マイクロプレートにマトリックス状に配置された複数個のリアクタに、複数種類の母液が異なる割合で混合された複数種類の溶液を、分注動作に係る情報に基づいて分注する分注工程と、前記複数個のリアクタのそれぞれに同時に一対の電極を挿入するために、前記一対の電極が取り付けられた電極部材を前記複数個のリアクタに向かって移動させ、前記複数個のリアクタのそれぞれの複数種類の溶液の電気特性を同時に測定する同時測定工程と、前記分注動作に係る情報に基づいて、前記同時測定工程で測定された前記複数種類の溶液の電気特性に係るデータを統計処理して、複数種類の溶液の中から所定の電気特性を有する溶液をハイスループットで探索する探索工程とを包含することを特徴とする。
【００７７】
上記の課題を解決するために、本発明の一態様に係るリアクタは、溶液を収容するリアクタであって、前記溶液の特性を測定するために前記溶液の中に配置されるように設けられた正極と、前記正極に対向して前記溶液の中に配置されるように設けられた負極とを備えることを特徴とする。
【００７８】
上記の課題を解決するために、本発明の一態様に係るマイクロプレートは、マトリックス状に配置された複数個のウェルに、本発明の一態様に係るリアクタがそれぞれ形成されたマイクロプレートであって、各リアクタが、前記正極と前記負極との間に配置されたセパレータをさらに備え、各リアクタは、複数種類の溶液がそれぞれ収容されて配列され、各リアクタに収容された複数種類の溶液に挿入可能な複数個の電極部材が取り付けられた挿入機構が各リアクタに対して移動することを特徴とする。
【００７９】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【００８０】
１  電気化学測定システム
２  マイクロプレート
３  ウェル（リアクタ）
４  挿入機構
５  正極（一対の電極）
６  負極（一対の電極）
７ａ〜７ｄ  母液
８ａ〜８ｅ  電解液（溶液）
９  電気化学測定装置
１０  傾斜面
１１  第１プローブ
１２  第２プローブ
１３  正極（一対の電極）
１４  負極（一対の電極）
１５  セパレータ
１６  分注機構
１７  搬送機構
１８  上昇機構（移動機構）
１９  微小電極ユニット（電極部材）
２０  ベース
２１  取っ手
２２  取付梁
２３  プローブユニット
２４  溝
【図１】
2019189252.tif 000003
【図２】
2019189252.tif 000004
【図３】
2019189252.tif 000005
【図４】
2019189252.tif 000006
【図５】
2019189252.tif 000007
【図６】
2019189252.tif 000008
【図７】
2019189252.tif 000009
【図８】
2019189252.tif 000010
【図９】
2019189252.tif 000011
【図１０】
2019189252.tif 000012
【図１１】
2019189252.tif 000013
【図１２】
2019189252.tif 000014
【図１３】
2019189252.tif 000015
【図１４】
2019189252.tif 000016
【図１５】
2019189252.tif 000017
【図１６】
2019189252.tif 000018
【国際調査報告】
2019189252.tif 000019
2019189252.tif 000020
2019189252.tif 000021
2019189252.tif 000022